(57)【要約】【課題】記憶装置に記憶されている情報の内容をユーザに対して正確に認識させることができると共に、ダイレクト印刷機能を有する印刷装置の使い勝手を向上することができる印刷装置およびその印刷装置で行われる出力方法を提供すること。【解決手段】ユーザによりパネル表示の機能が選択されると、メモリカード４２に記憶される画像データファイル４２ａの縮小画像や、その画像データに応じた代替画像が表示されるので、画像データファイル４２ａが印刷可能であるか否かを、ユーザに認識させることができる。ユーザは、印刷不可であるファイルの印刷は実行しないし、解除が必要なファイルはセキュリティを解除してから印刷を実行するし、印刷可能なファイルは縮小画像を確認して印刷を実行するので、複合機１の使い勝手を向上することができる。【選択図】図６
2008207455.tif 000002
【特許請求の範囲】
【請求項１】
ファイル情報が記憶された記憶装置を接続可能なスロット部と、そのスロット部に接続された記憶装置から前記ファイル情報を読み出して印刷を行うダイレクト印刷手段と、前記記憶装置に記憶される前記ファイル情報の内容を示唆する出力を行う示唆出力手段とを備えた印刷装置において、
前記ファイル情報には、表示または印刷を行うための情報である出力情報と、その出力情報に基づいた表示または印刷の実行を制限するための情報である制限情報とが含まれており、
前記スロット部に接続された記憶装置に記憶されるファイル情報から前記制限情報を読み出す読出手段と、
その読出手段により読み出された制限情報に応じて、前記ファイル情報の内容を示唆する表示情報を設定する表示設定手段とを備え、
前記示唆出力手段は、前記表示設定手段により設定された表示情報に基づく表示を行うことを特徴とする印刷装置。
【請求項２】
前記表示設定手段は、
前記読出手段により読み出された制限情報が、前記出力情報に基づく表示を許可するものである場合に、前記出力情報の内容を示唆する表示情報を設定し、
前記読出手段により読み出された制限情報が、前記出力情報に基づく表示を許可するものであり且つ、前記出力情報に基づく印刷を禁止するものである場合に、前記出力情報の内容を示唆する表示情報とは異なる表示情報を設定することを特徴とする請求項１記載の印刷装置。
【請求項３】
前記読出手段により読み出された制限情報が、前記出力情報に基づく表示または印刷を禁止するものである場合に、その出力情報に基づく表示または印刷の禁止を解除する解除手段を備え、
前記表示設定手段は、前記読出手段により読み出された制限情報が、前記出力情報に基づく表示を許可するものであり且つ、前記出力情報に基づく印刷を禁止するものである場合に、前記出力情報の内容を示唆する表示情報に、前記解除手段による禁止の解除を促す表示情報を加えた表示情報を設定することを特徴とする請求項２記載の印刷装置。
【請求項４】
前記読出手段により読み出された制限情報が、前記出力情報に基づく表示または印刷を禁止するものである場合に、その出力情報に基づく表示または印刷の禁止を解除する解除手段を備え、
前記表示設定手段は、前記読出手段により読み出された制限情報が、前記出力情報に基づく表示を禁止するものである場合に、前記解除手段による禁止の解除を促す表示情報を設定することを特徴とする請求項１から３のいずれかに記載の印刷装置。
【請求項５】
ファイル情報が記憶された記憶装置を接続可能なスロット部と、そのスロット部に接続された記憶装置から前記ファイル情報を読み出して印刷を行うダイレクト印刷手段と、前記記憶装置に記憶される前記ファイル情報の内容を示唆する出力を行う示唆出力手段とを備えた印刷装置において、
前記ファイル情報には、表示または印刷を行うための情報である出力情報と、その出力情報に基づいた表示または印刷の実行を制限するための情報である制限情報とが含まれており、
前記スロット部に接続された記憶装置に記憶されたファイル情報から前記制限情報を読み出す読出手段と、
その読出手段により読み出された制限情報に応じて、前記ファイル情報の内容を示唆する印刷情報を設定する印刷設定手段とを備え、
前記示唆出力手段は、前記印刷設定手段により設定された印刷情報に基づく印刷を行うことを特徴とする印刷装置。
【請求項６】
前記読出手段により読み出された制限情報が、前記出力情報に基づく表示または印刷を禁止するものである場合に、その出力情報に基づく表示または印刷の禁止を解除する解除手段を備え、
前記印刷設定手段は、
前記読出手段により読み出された制限情報が、前記出力情報に基づく印刷を許可するものである場合に、前記出力情報の内容を示唆する印刷情報を設定し、
前記読出手段により読み出された制限情報が、前記出力情報に基づく印刷を禁止するものである場合に、前記解除手段による禁止の解除を促す印刷情報を設定することを特徴とする請求項５記載の印刷装置。
【請求項７】
前記読出手段により読み出された制限情報が、前記出力情報に基づく表示または印刷を禁止するものである場合に、その出力情報に基づく表示または印刷の禁止を解除する解除手段を備え、
前記印刷設定手段は、前記読出手段により読み出された制限情報が、前記出力情報に基づく表示を許可するものであり且つ、前記出力情報に基づく印刷を禁止するものである場合に、前記解除手段による禁止の解除を促す印刷情報に、前記出力情報に基づく表示が許可されていることを示唆する印刷情報を加えた印刷情報を設定することを特徴とする請求項５又は６に記載の印刷装置。
【請求項８】
表示または印刷を行うための情報である出力情報と、その出力情報に基づいた表示または印刷の実行を制限するための情報である制限情報とを含んでいるファイル情報が記憶された記憶装置を接続可能なスロット部と、そのスロット部に接続された記憶装置から前記ファイル情報を読み出して印刷を行うダイレクト印刷手段とを備えた印刷装置で、前記記憶装置に記憶されるファイル情報の内容を示唆する出力を行う出力方法であって、
前記スロット部に接続された記憶装置に記憶されたファイル情報から前記制限情報を読み出す読出工程と、
その読出工程により読み出された制限情報に応じて、前記ファイル情報の内容を示唆する表示情報を設定する表示設定工程と、
その表示設定工程により設定された表示情報に基づく表示を行う示唆出力工程とを備えていることを特徴とする出力方法。
【請求項９】
表示または印刷を行うための情報である出力情報と、その出力情報に基づいた表示または印刷の実行を制限するための情報である制限情報とを含んでいるファイル情報が記憶された記憶装置を接続可能なスロット部と、そのスロット部に接続された記憶装置から前記ファイル情報を読み出して印刷を行うダイレクト印刷手段とを備えた印刷装置で、前記記憶装置に記憶されるファイル情報の内容を示唆する出力を行う出力方法であって、
前記スロット部に接続された記憶装置に記憶されたファイル情報から前記制限情報を読み出す読出工程と、
その読出工程により読み出された制限情報に応じて、前記ファイル情報の内容を示唆する印刷情報を設定する印刷設定工程と、
その印刷設定工程により設定された印刷情報に基づく印刷を行う示唆出力工程とを備えていることを特徴とする出力方法。
【発明の詳細な説明】
【技術分野】
【０００１】
本発明は、印刷装置およびその印刷装置で行われる出力方法に関し、特に、記憶装置に記憶されているファイル情報の内容をユーザに対して正確に認識させることができると共に、ダイレクト印刷機能を有する印刷装置の使い勝手を向上することができる印刷装置およびその印刷装置で行われる出力方法に関する。
【背景技術】
【０００２】
近年、メモリカードが接続されると、パーソナルコンピュータなどのホスト装置の助けを得ることなく、メモリカードに記憶されている画像データや印字データをダイレクトに印刷するダイレクト印刷機能を有するプリンタ装置が知られている（例えば、特許文献１参照）。
【０００３】
また、メモリカードは、持ち運びが容易なほど小型化されており、ユーザは、業務に必要な印字データやプライベートな写真の画像データなどを、ダイレクト印刷機能を有するプリンタ装置と接続して、いつでも閲覧できるようにメモリカードを持ち運んでいる。よって、ユーザは、ダイレクト印刷機能を有するプリンタ装置にメモリカードを接続するだけで、ホスト装置の助けを得ることなく、簡単に文書や写真を印刷し、閲覧することができる。
【０００４】
また、ダイレクト印刷機能を有するプリンタ装置は、メモリカードに記憶されている画像データや印字データを選択して印刷できるように、各データの縮小画像やファイル名を液晶ディスプレイに表示するパネル表示機能や、各データの縮小画像やファイル名の一覧を印刷するインデックス印刷機能を有している。
【０００５】
さらに、メモリカードに記憶されている各データは、各データを作成したユーザ以外に操作されないように、セキュリティを有して記憶されている場合がある。その各データが有するセキュリティには、印刷のみを禁止するものや、閲覧のみを禁止するもの、印刷および閲覧の両方を禁止するものなど複数ある。
【０００６】
よって、セキュリティを有するデータを含むメモリカードがユーザによりプリンタ装置に接続され、パネル表示機能またはインデックス印刷機能が選択されたとしても、データの印刷を禁止するセキュリティであれば、データの印刷やインデックス印刷は禁止されるし、データの閲覧を禁止するセキュリティであれば、パネル表示機能による表示は禁止される。
【特許文献１】特開２００３−３２６７７３号公報
【発明の開示】
【発明が解決しようとする課題】
【０００７】
しかしながら、ユーザによりパネル表示機能が選択された場合に、例えば、メモリカード（記憶装置）に記憶されているデータ（ファイル情報）が、データの閲覧は許可するが印刷は禁止するセキュリティ（制限情報）を有していると、そのデータの印刷が禁止されているにも関わらず、液晶ディスプレイにデータの縮小画像やファイル名が表示されるため、ユーザは、液晶ディスプレイの表示を視認して、データの印刷を実行するか否かを判断するので、印刷が禁止されているにもかかわらず縮小画像やファイル名が表示されていると、その印刷が禁止されているデータを印刷可能であると誤認してしまうという問題点があった。
【０００８】
また、印刷が禁止されているデータを印刷可能であるとユーザが誤認しており、その印刷が禁止されているデータの印刷操作をユーザが行った場合には、そのデータの印刷が実行されなかったり、印刷が実行されても白紙で印刷されたりする。よって、ユーザが印刷操作をしたにも関わらず、ユーザが所望する印刷ができないので、プリンタ装置（印刷装置）の使い勝手が悪くなるという問題点があった。
【０００９】
本発明は上述した問題点を解決するためになされたものであり、記憶装置に記憶されているファイル情報の内容をユーザに対して正確に認識させることができると共に、ダイレクト印刷機能を有する印刷装置の使い勝手を向上することができる印刷装置およびその印刷装置で行われる出力方法を提供することを目的としている。
【課題を解決するための手段】
【００１０】
この目的を達成するために請求項１記載の印刷装置は、ファイル情報が記憶された記憶装置を接続可能なスロット部と、そのスロット部に接続された記憶装置から前記ファイル情報を読み出して印刷を行うダイレクト印刷手段と、前記記憶装置に記憶される前記ファイル情報の内容を示唆する出力を行う示唆出力手段とを備えており、前記ファイル情報には、表示または印刷を行うための情報である出力情報と、その出力情報に基づいた表示または印刷の実行を制限するための情報である制限情報とが含まれており、前記スロット部に接続された記憶装置に記憶されるファイル情報から前記制限情報を読み出す読出手段と、その読出手段により読み出された制限情報に応じて、前記ファイル情報の内容を示唆する表示情報を設定する表示設定手段とを備え、前記示唆出力手段は、前記表示設定手段により設定された表示情報に基づく表示を行う。
【００１１】
請求項２記載の印刷装置は、請求項１記載の印刷装置において、前記表示設定手段は、前記読出手段により読み出された制限情報が、前記出力情報に基づく表示を許可するものである場合に、前記出力情報の内容を示唆する表示情報を設定し、前記読出手段により読み出された制限情報が、前記出力情報に基づく表示を許可するものであり且つ、前記出力情報に基づく印刷を禁止するものである場合に、前記出力情報の内容を示唆する表示情報とは異なる表示情報を設定する。
【００１２】
請求項３記載の印刷装置は、請求項２記載の印刷装置において、前記読出手段により読み出された制限情報が、前記出力情報に基づく表示または印刷を禁止するものである場合に、その出力情報に基づく表示または印刷の禁止を解除する解除手段を備え、前記表示設定手段は、前記読出手段により読み出された制限情報が、前記出力情報に基づく表示を許可するものであり且つ、前記出力情報に基づく印刷を禁止するものである場合に、前記出力情報の内容を示唆する表示情報に、前記解除手段による禁止の解除を促す表示情報を加えた表示情報を設定する。
【００１３】
請求項４記載の印刷装置は、請求項１から３のいずれかに記載の印刷装置において、前記読出手段により読み出された制限情報が、前記出力情報に基づく表示または印刷を禁止するものである場合に、その出力情報に基づく表示または印刷の禁止を解除する解除手段を備え、前記表示設定手段は、前記読出手段により読み出された制限情報が、前記出力情報に基づく表示を禁止するものである場合に、前記解除手段による禁止の解除を促す表示情報を設定する。
【００１４】
請求項５記載の印刷装置は、ファイル情報が記憶された記憶装置を接続可能なスロット部と、そのスロット部に接続された記憶装置から前記ファイル情報を読み出して印刷を行うダイレクト印刷手段と、前記記憶装置に記憶される前記ファイル情報の内容を示唆する出力を行う示唆出力手段とを備えており、前記ファイル情報には、表示または印刷を行うための情報である出力情報と、その出力情報に基づいた表示または印刷の実行を制限するための情報である制限情報とが含まれており、前記スロット部に接続された記憶装置に記憶されたファイル情報から前記制限情報を読み出す読出手段と、その読出手段により読み出された制限情報に応じて、前記ファイル情報の内容を示唆する印刷情報を設定する印刷設定手段とを備え、前記示唆出力手段は、前記印刷設定手段により設定された印刷情報に基づく印刷を行う。
【００１５】
請求項６記載の印刷装置は、請求項５記載の印刷装置において、前記読出手段により読み出された制限情報が、前記出力情報に基づく表示または印刷を禁止するものである場合に、その出力情報に基づく表示または印刷の禁止を解除する解除手段を備え、前記印刷設定手段は、前記読出手段により読み出された制限情報が、前記出力情報に基づく印刷を許可するものである場合に、前記出力情報の内容を示唆する印刷情報を設定し、前記読出手段により読み出された制限情報が、前記出力情報に基づく印刷を禁止するものである場合に、前記解除手段による禁止の解除を促す印刷情報を設定する。
【００１６】
請求項７記載の印刷装置は、請求項５又は６に記載の印刷装置において、前記読出手段により読み出された制限情報が、前記出力情報に基づく表示または印刷を禁止するものである場合に、その出力情報に基づく表示または印刷の禁止を解除する解除手段を備え、前記印刷設定手段は、前記読出手段により読み出された制限情報が、前記出力情報に基づく表示を許可するものであり且つ、前記出力情報に基づく印刷を禁止するものである場合に、前記解除手段による禁止の解除を促す印刷情報に、前記出力情報に基づく表示が許可されていることを示唆する印刷情報を加えた印刷情報を設定する。
【００１７】
請求項８記載の出力方法は、表示または印刷を行うための情報である出力情報と、その出力情報に基づいた表示または印刷の実行を制限するための情報である制限情報とを含んでいるファイル情報が記憶された記憶装置を接続可能なスロット部と、そのスロット部に接続された記憶装置から前記ファイル情報を読み出して印刷を行うダイレクト印刷手段とを備えた印刷装置で、前記記憶装置に記憶されるファイル情報の内容を示唆する出力を行うものであり、前記スロット部に接続された記憶装置に記憶されたファイル情報から前記制限情報を読み出す読出工程と、その読出工程により読み出された制限情報に応じて、前記ファイル情報の内容を示唆する表示情報を設定する表示設定工程と、その表示設定工程により設定された表示情報に基づく表示を行う示唆出力工程とを備えている。
【００１８】
請求項９記載の出力方法は、表示または印刷を行うための情報である出力情報と、その出力情報に基づいた表示または印刷の実行を制限するための情報である制限情報とを含んでいるファイル情報が記憶された記憶装置を接続可能なスロット部と、そのスロット部に接続された記憶装置から前記ファイル情報を読み出して印刷を行うダイレクト印刷手段とを備えた印刷装置で、前記記憶装置に記憶されるファイル情報の内容を示唆する出力を行うものであり、前記スロット部に接続された記憶装置に記憶されたファイル情報から前記制限情報を読み出す読出工程と、その読出工程により読み出された制限情報に応じて、前記ファイル情報の内容を示唆する印刷情報を設定する印刷設定工程と、その印刷設定工程により設定された印刷情報に基づく印刷を行う示唆出力工程とを備えている。
【発明の効果】
【００１９】
請求項１記載の印刷装置によれば、スロット部に接続された記憶装置に記憶されたファイル情報から、出力情報に基づく表示または印刷の実行を制限する制限情報が読出手段により読み出され、その読み出された制限情報に応じてファイル情報の内容を示す表示情報が表示設定手段により設定され、その設定された表示情報に基づいて示唆出力手段により表示が行われる。よって、ファイル情報の内容を示唆する表示情報を、ファイル情報から読み出された制限情報に応じて設定して表示するので、その制限情報により制限されている内容が表示であるか印刷であるかを、ユーザに認識させることができる。従って、ユーザは、記憶装置に記憶されているファイル情報が表示可能であるか印刷可能であるかを正確に認識することができるという効果がある。
【００２０】
また、ユーザは、制限情報により制限されている内容を認識でき、印刷が禁止されているファイル情報をわざわざ選択して印刷しないので、従来のように印刷できないファイルを選択して印刷を実行することが無くなる。よって、ユーザによって印刷が実行されたが、印刷が未実行であったり、出力情報に基づく印刷がされずに白紙で印刷されたりすることがなく、ユーザが所望する印刷を行えるので、印刷装置の使い勝手が向上するという効果がある。
【００２１】
請求項２記載の印刷装置によれば、請求項１記載の印刷装置の奏する効果に加え、読出手段により読み出された制限情報が出力情報に基づく表示を許可するものである場合には、出力情報の内容を示唆する表示情報が表示設定手段により設定され、読み出された制限情報が出力情報に基づく表示を許可するものであり且つ印刷を禁止するものである場合には、出力情報の内容を示唆する表示情報とは異なる表示情報が表示設定手段により設定される。よって、ファイル情報に含まれる制限情報が出力情報に基づく表示を許可する場合と、出力情報に基づく表示を許可するが印刷を禁止する場合とで、示唆出力手段により表示される表示情報が異なるので、その異なる表示によって、表示されている表示情報に応じた出力情報が印刷可能であるか否かをユーザに確実に認識させることができるという効果がある。
【００２２】
請求項３記載の印刷装置によれば、請求項２記載の印刷装置の奏する効果に加え、読出手段により読み出された制限情報が、出力情報に基づく表示を許可するものであり且つ印刷を禁止するものである場合には、出力情報の内容を示唆する表示情報に、解除手段による禁止の解除を促す表示情報を加えた表示情報が表示設定手段により設定される。よって、表示された表示情報に対応した出力情報が印刷可能であるか否かを認識させるだけでなく、出力情報の印刷を行う場合には、解除手段による解除が必要であることを、ユーザに認識させることができる。従って、ユーザは、解除手段による解除が必要である出力情報を印刷する場合には、解除手段による解除操作をした後に印刷を行うので、不要な操作がなくなり、より使い勝手を向上することができるという効果がある。
【００２３】
請求項４記載の印刷装置によれば、請求項１から３のいずれかに記載の印刷装置の奏する効果に加え、読出手段により読み出された制限情報が出力に基づく表示を禁止するものである場合には、解除手段による禁止の解除を促す表示情報が表示設定手段に設定される。よって、出力情報に基づく表示が禁止されている場合には、出力情報に基づく表示を行うために解除手段による解除が必要であることを、ユーザに認識させることができる。出力情報に基づく表示が禁止されている場合に、表示が何もないと、ユーザはファイル情報が無いと誤認してしまうが、解除手段による解除を促す表示情報に基づく表示がなされるので、ファイル情報が無いと誤認することを防止することができるという効果がある。
【００２４】
請求項５記載の印刷装置によれば、スロット部に接続された記憶装置に記憶されたファイル情報から、出力情報に基づく表示または印刷の実行を制限する制限情報が読出手段により読み出され、その読み出された制限情報に基づいてファイル情報の内容を示唆する印刷情報が印刷設定手段により設定され、その設定された印刷情報に基づいて示唆出力手段により印刷が行われる。よって、ファイル情報の内容を示唆する印刷情報を、ファイル情報から読み出された制限情報に応じて設定して表示するので、その制限情報により制限されている内容が表示であるか印刷であるかを、ユーザに認識させることができる。従って、ユーザは、記憶装置に記憶されているファイル情報が表示可能であるか印刷可能であるかを正確に認識することができるという効果がある。
【００２５】
また、ユーザは、制限情報により制限されている内容を認識でき、印刷が禁止されているファイル情報をわざわざ選択して印刷しないので、従来のように印刷できないファイルを選択して印刷を実行することが無くなる。よって、ユーザによって印刷が実行されたが、印刷が未実行であったり、出力情報に基づく印刷がされずに白紙で印刷されたりすることがなく、ユーザが所望する印刷を行えるので、印刷装置の使い勝手が向上するという効果がある。
【００２６】
請求項６記載の印刷装置によれば、請求項５記載の印刷装置の奏する効果に加え、読出手段により読み出された制限情報が出力情報に基づく印刷を許可するものである場合には、その出力情報の内容を示唆する印刷情報が印刷設定手段に設定され、読み出された制限情報が出力情報に基づく印刷を禁止するものである場合には、解除手段による禁止の解除を促す印刷情報が印刷設定手段に設定される。よって、ファイル情報に含まれる制限情報が出力情報に基づく印刷を許可する場合と、出力情報に基づく印刷を禁止する場合とで、印刷される印刷情報が異なるので、その異なる印刷によって、印刷されている印刷情報に応じた出力情報が印刷可能であるか否かをユーザに確実に認識させることができるという効果がある。
【００２７】
請求項７記載の印刷装置によれば、請求項５又は６に記載の印刷装置の奏する効果に加え、読出手段により読み出された制限情報が出力情報に基づく印刷を禁止するものであり且つ表示を許可するものである場合には、出力情報に基づく表示が許可されていることを示唆する印刷情報が印刷設定手段により設定される。よって、出力情報に基づく印刷は禁止されているが、出力情報に基づく表示が許可されていることを、ユーザに認識させることができる。ユーザは、出力情報に基づく表示が可能であることを認識すると、その出力情報に基づく表示をし、その表示から出力情報の内容を確認できるので、出力情報の内容を確認して印刷するか否かを選択することができるという効果がある。
【００２８】
請求項８記載の出力方法によれば、スロット部に接続された記憶装置に記憶されたファイル情報から、出力情報に基づく表示または印刷の実行を制限する制限情報が読出工程により読み出され、その読み出された制限情報に応じてファイル情報の内容を示す表示情報が表示設定工程により設定され、その設定された表示情報に基づいて示唆出力工程により表示が行われる。よって、ファイル情報の内容を示唆する表示情報を、ファイル情報から読み出された制限情報に応じて設定して表示するので、その制限情報により制限されている内容が表示であるか印刷であるかを、ユーザに認識させることができる。従って、ユーザは、記憶装置に記憶されているファイル情報が表示可能であるか印刷可能であるかを正確に認識することができるという効果がある。
【００２９】
また、ユーザは、制限情報により制限されている内容を認識でき、印刷が禁止されているファイル情報をわざわざ選択して印刷しないので、従来のように印刷できないファイルを選択して印刷を実行することが無くなる。よって、ユーザによって印刷が実行されたが、印刷が未実行であったり、出力情報に基づく印刷がされずに白紙で印刷されたりすることがなく、ユーザが所望する印刷を行えるので、印刷装置の使い勝手が向上するという効果がある。
【００３０】
請求項９記載の出力方法によれば、スロット部に接続された記憶装置に記憶されたファイル情報から、出力情報に基づく表示または印刷の実行を制限する制限情報が読出工程により読み出され、その読み出された制限情報に基づいてファイル情報の内容を示唆する印刷情報が印刷設定工程により設定され、その設定された印刷情報に基づいて示唆出力工程により印刷が行われる。よって、ファイル情報の内容を示唆する印刷情報を、ファイル情報から読み出された制限情報に応じて設定して表示するので、その制限情報により制限されている内容が表示であるか印刷であるかを、ユーザに認識させることができる。従って、ユーザは、記憶装置に記憶されているファイル情報が表示可能であるか印刷可能であるかを正確に認識することができるという効果がある。
【００３１】
また、ユーザは、制限情報により制限されている内容を認識でき、印刷が禁止されているファイル情報をわざわざ選択して印刷しないので、従来のように印刷できないファイルを選択して印刷を実行することが無くなる。よって、ユーザによって印刷が実行されたが、印刷が未実行であったり、出力情報に基づく印刷がされずに白紙で印刷されたりすることがなく、ユーザが所望する印刷を行えるので、印刷装置の使い勝手が向上するという効果がある。
【発明を実施するための最良の形態】
【００３２】
以下、本発明の好ましい実施形態について、添付図面を参照して説明する。図１は、本発明における実施形態の複合機１の外観構成を示す斜視図である。なお、以下の実施形態は、本発明を具体化した一例にすぎず、本発明の要旨を変更しない範囲で、実施形態を適宜変更できることは言うまでもない。
【００３３】
まず、図１を参照して、複合機１の外観構成および複合機１が有する機能について、簡単に説明する。複合機（ＭＦP（Ｍｕｌｔｉ  Ｆｕｎｃｔｉｏｎ  Ｐｅｒｉｐｈｅｒａｌ）１は、主に、下部に設けられたプリンタ２と、上部に設けられたスキャナ３と、スキャナ３の正面側に設けられた操作パネル４とを一体的に備えており、スキャナ機能およびコピー機能、ファクシミリ機能などを有している。
【００３４】
また、複合機１は、デジタルカメラ等の外部装置と接続されて、その接続された外部装置から受信したデータを記録用紙に記録したり、メモリカード４２（図２参照、記憶装置）などの各種記憶媒体が装填されて、その装填された記憶媒体に記憶されたデータ（ファイル情報）を読み出して記録用紙に記録するダイレクト印刷機能（「メディア機能」とも言う）を有している。
【００３５】
また、複合機１は、主に不図示のコンピュータ（ネットワーク上に存在するコンピュータも含む）と接続されて、そのコンピュータから送信された画像データや文書データに基づいて、記録用紙に画像や文書を記録（印刷）する機能を有している。なお、複合機１は、記録用紙だけに限らず、ＯＨＰ用の透明なフィルムシートや布などにも画像を記録することが可能である。
【００３６】
なお、複合機１は、各種機能の実行により複合機１が取得したデータを、複合機１に接続された外部装置（デジタルカメラやコンピュータなど）に送信して、その送信したデータを外部装置に記憶させる機能や、その送信したデータを外部装置に加工、表示、送信、印刷などを行わせる機能を有するものであってもよい。さらに、本発明を適用する上で、上記した全ての機能を複合機１が備えている必要はなく、少なくともダイレクト印刷機能を有していればよい。
【００３７】
スキャナ３は、主に、ＦＢＳ（Ｆｌａｔｂｅｄ  Ｓｃａｎｎｅｒ）として機能する原稿読取台６と、その原稿読取台６に対して自動原稿搬送機構（ＡＤＦ：Ａｕｔｏ  Ｄｏｃｕｍｅｎｔ  Ｆｅｅｄｅｒ、以下「ＡＤＦ」と称す）７を備えた原稿カバー８とを有して構成され、原稿カバー８が背面側の蝶番（図示せず）を介して開閉自在に取り付けられている。また、図示しないが、原稿読取台６の上面にはプラテンガラスが配設されており、原稿読取台６の内部には画像読取ユニットが内蔵されている。
【００３８】
プリンタ２は、スキャナ３で読み取られた画像データ或いは外部から入力された画像データに基づいて、選択的にインク滴を吐出することによって、記録用紙上に画像を記録する所謂インクジェット方式の画像記録装置（インクジェット記録装置）である。なお、言うまでもないが、上記インクジェット方式はプリンタ２による画像記録方式の単なる一例であり、電子写真方式や熱転写方式などの種々の画像記録方式を採用することができるのは勿論である。
【００３９】
複合機１の正面側、換言すれば、プリンタ２の正面側には開口５が形成されており、この開口５内に給紙トレイ１４及び排紙トレイ１５が完全に内包されるように設けられている。また、プリンタ２には、給紙トレイ１４の奥側から上方へ延びた後に正面側へＵ字状に湾曲して排紙トレイ１５に連結される用紙搬送路（図示せず）が設けられている。
【００４０】
操作パネル４は、各種操作キー４０と液晶ディスプレイ（ＬＣＤ：Ｌｉｑｕｉｄ  Ｃｒｙｓｔａｌ  Ｄｉｓｐｌａｙ）４１とを有して構成されている。なお、各種操作キー４０には、上カーソルキー４０ａと下カーソルキー４０ｂとが含まれている。また、操作パネル４は、プリンタ２やスキャナ３を動作させる場合に操作されたり、複合機１の各種設定を変更したり、その各種設定を確認する場合に操作されるものである。ユーザにより操作パネル４が操作されると、その操作に応じた所望の指令が制御部２０（図２参照）に入力され、その制御部２０により複合機１の動作が制御される。
【００４１】
なお、複合機１は、操作パネル４の操作に応じた指令のほか、接続されたコンピュータからプリンタドライバやスキャナドライバ等を介して送信される指令に基づいて動作すると共に、ネットワークインターフェース（図２参照）を介してネットワーク上のコンピュータから送信される指令に基づいて動作するように構成されている。
【００４２】
次に、プリンタ２の上記開口５の上側に設けられた接続パネル７０について説明する。接続パネル７０は、その左端側に配設されたＵＳＢ端子７１と、その右端側に配設されたスロット部７２とを有して構成されている。
【００４３】
ＵＳＢ端子７１は、デジタルカメラやコンピュータなどの外部装置とＵＳＢ接続することにより、その外部装置と複合機１とを通信可能に接続するコネクタ端子である。スロット部７２には、メモリカード４２（図２参照）を装填可能な複数のカードスロットが設けられている。なお、スロット部７２に代えて、データの受信を行う受信部を設け、メモリカード４２と通信によりデータを受信する構成としても良い。
【００４４】
また、スロット部７２のカードスロットにメモリカード４２が装填されると、その装填されたメモリカード４２から画像データを読み出し、その読み出した画像データや画像データに関する情報（制限情報など）をＬＣＤ４１に表示することができるし（後述するパネル表示処理）、その読み出された画像データや画像データに関する情報を記録用紙に印刷することができる（後述するインデックス印刷処理）。また、メモリカード４２から任意の画像データを読み出し、記録用紙に印刷することもできる（後述する印刷処理）。
【００４５】
次に、図２を参照して、複合機１の動作を制御する制御部２０の概略構成について説明する。図２は、複合機１の制御部２０の概略構成を示すブロック図である。なお、制御部２０は、プリンタ２、スキャナ３及び操作パネル４を含む複合機１の動作を統括的に制御するものである。
【００４６】
図２に示すように、制御部２０は、ＣＰＵ（Ｃｅｎｔｒａｌ  Ｐｒｏｃｅｓｓｉｎｇ  Ｕｎｉｔ）２１と、ＲＯＭ（Ｒｅａｄ  Ｏｎｌｙ  Ｍｅｍｏｒｙ）２２と、ＲＡＭ（Ｒａｎｄｏｍ  Ａｃｃｅｓｓ  Ｍｅｍｏｒｙ）２３と、ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  ＲＯＭ）２４とを主とするマイクロコンピュータとして構成されており、バス２５を介してＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）２６に接続されている。
【００４７】
ＣＰＵ２１は、複合機１を総括的に制御する中央演算処理であり、図４及び図５、図７、図８、図１０に示すフローチャート（プログラム）などを実行する。ＲＯＭ２２には、複合機１の各種動作を制御するためのプログラムや、予め定められた固定値データなどが格納（記憶）されている。ＲＡＭ２３には、ＣＰＵ２１が上記プログラムを実行する際に用いる各種データが一時的に記憶される。また、ＲＡＭ２３には、制限情報記憶エリア２３ａと、指定ファイルカウンタ２３ｂと、作成画像記憶エリア２３ｃとが設けられている。
【００４８】
制限情報記憶エリア２３ａは、スロット部７２に装填（接続）されたメモリカード４２の画像データファイル４２ａに基づいて作成された制限情報を一時的に記憶する領域である。制限情報記憶エリア２３ａに記憶される制限情報は、後述するパネル表示処理（図４参照）及びインデックス印刷処理（図７参照）が実行されると、メモリカード４２の画像データファイル４２ａから必要な情報を読み出して作成される。なお、制限情報記憶エリア２３ａに記憶される制限情報の一例については、図３を参照して後述する。
【００４９】
指定ファイルカウンタ２３ｂは、メモリカード４２に記憶される複数のファイルのうち、１のファイルを指定するためのカウンタ値が記憶される。なお、指定ファイルカウンタ２３ｂの値は、後述するパネル表示処理およびインデックス印刷処理において、初期値（値１）が設定されると共に加算または減算される。
【００５０】
作成画像記憶エリア２３ｃは、インデックス印刷処理において作成された画像データの縮小画像を一時的に記憶する領域であり、インデックス印刷用の縮小画像が記憶される。なお、パネル表示用の縮小画像を一時的に記憶するものとしても良い。
【００５１】
次に、ＡＳＩＣ２６の動作およびＡＳＩＣ２６に接続される各構成について説明する。ＡＳＩＣ２６は、ＣＰＵ２１からの指令に従い、プリンタ２、スキャナ３、操作パネル４、及びスロット部７２の動作制御を行う制御部である（例えば、プリンタ２を駆動するモータや、インクジェット記録ヘッド、スキャナ３のＡＤＦ７を駆動するモータ、画像読取ユニット等の動作を制御する）。
【００５２】
また、ＡＳＩＣ２６には、複合機１に所望の指令を入力する操作キー４０を制御するパネルゲートアレイ２７と、ＬＣＤ４１の画面表示を制御するＬＣＤコントローラ２８とが接続されている。
【００５３】
ＬＣＤコントローラ２８は、具体的には、ＣＰＵ２１の指示によりＬＣＤ４１に表示させるべき画像に対応する画像データを、ＲＡＭ２３に備えられた図示しない表示用メモリに記憶させ、その表示用メモリに記憶された画像データを読み取り、ＬＣＤ４１に表示するように制御する。さらに、ＬＣＤコントローラ２８は、スキャナ３により読み取られた画像データに対応する画像をＬＣＤ４１に表示させたり、接続された外部装置（デジタルカメラやコンピュータなど）やスロット部７２に装填されたメモリカード４２から読み出された画像データに対応する画像をＬＣＤ４１に表示させたりする。
【００５４】
また、ＡＳＩＣ２６には、コンピュータとパラレルケーブル又はＵＳＢケーブルを介してデータの送受信を行うためのパラレルインタフェース２９及びＵＳＢ端子７１と、ファクシミリ機能を実現するためのＮＣＵ（Ｎｅｔｗｏｒｋ  Ｃｏｎｔｒｏｌ  Ｕｎｉｔ）３１及びモデム３２と、アンプ７３とが接続されている。アンプ７３には、スピーカ７４が接続されており、そのスピーカ７４を鳴動して、呼出音や拒否音、メッセージなどが出力される。
【００５５】
また、ＡＳＩＣ２６には、ネットワーク上に存在するコンピュータと接続するためのネットワークインターフェイス（以下「ネットワークＩ／Ｆ」と称す）３０が接続されている。このネットワークＩ／Ｆ３０は、ネットワーク上に存在する複数のコンピュータと接続可能に構成されており、ネットワーク上のコンピュータとデータの送受信を行うことができる。
【００５６】
次に、図３を参照して、制限情報記憶エリア２３ａに記憶される制限情報の一例について説明する。図３は、制限情報記憶エリア２３ａに記憶される制限情報の一例を模式的に示した図である。なお、制限情報記憶エリア２３ａに記憶される制限情報は、メモリカード４２から読み出された画像データ以外の情報（制限情報）に基づいて作成されるものである。
【００５７】
図３に示すように、本実施形態では、制限情報記憶エリア２３ａに記憶されている制限情報は、ファイル１〜５の５個のファイルから構成されている。ファイル１〜５は、複合機１で認識可能なファーマット（書式や記憶形式など）であるか否かを示すフォーマット領域２３ａ１と、セキュリティの有無を示すセキュリティ領域２３ａ２と、セキュリティ解除せずに閲覧可能であるか否かを示す閲覧可能領域２３ａ３と、セキュリティ解除せずに印刷可能であるか否かを示す印刷可能領域２３ａ４とを、それぞれ有して構成されている。
【００５８】
なお、図３の各ファイル１〜５のフォーマット領域２３ａ１に図示される「対応」とは、複合機１で認識可能な画像データであることを示し、「未対応」とは、複合機１で認識不可な画像データであることを示している。また、各ファイル１〜５のセキュリティ領域２３ａ２に図示される「有」とは、画像データが何らかのセキュリティを有していることを示し、「無」とは、画像データがセキュリティを有していないことを示している。また、閲覧可能領域２３ａ３に図示される「○」とは、画像データがセキュリティ解除せずに閲覧（表示）できることを示し、「×」とは、画像データがセキュリティ解除しなければ閲覧できないことを示している。最後に、印刷可能領域２３ａ４に図示される「○」とは、画像データがセキュリティ解除せずに印刷できることを示し、「×」とは、画像データがセキュリティ解除しなければ印刷できないことを示している。なお、ファイル４，５の「−」の表示は、セキュリティを有していないので、セキュリティ解除せずに閲覧可能であるか否か及び印刷可能であるか否かの情報を含んでいないことを示している。
【００５９】
ここで、ファイル１〜５について説明する。ファイル１は、画像データのフォーマットが複合機１で認識可能であり、画像データが何らかのセキュリティを有しており、画像データをセキュリティ解除せずに閲覧可能であり、画像データをセキュリティ解除せずに印刷可能である。なお、ファイル１の画像データは、セキュリティ解除せずに閲覧および印刷が可能であるが、セキュリティを有している。このセキュリティは、例えば、画像データの複合化やコピーの禁止などである。
【００６０】
ファイル２は、画像データのフォーマットが複合機１で認識可能であり、画像データが何らかのセキュリティを有しており、画像データをセキュリティ解除せずに閲覧可能であるが、画像データをセキュリティ解除しないと印刷できない。
【００６１】
ファイル３は、画像データのフォーマットが複合機１で認識可能であり、画像データが何らかのセキュリティを有しており、画像データをセキュリティ解除しないと閲覧できないし、画像データをセキュリティ解除しないと印刷できない。
【００６２】
ファイル４は、画像データのフォーマットが複合機１で認識可能であり、画像データがセキュリティを有していない。よって、ファイル４の画像データは、如何なるユーザであっても、閲覧および印刷が可能となる。
【００６３】
ファイル５は、画像データのフォーマットが複合機１で認識不可であり、画像データがセキュリティを有していない。ファイル５の画像データは、複合機１で認識できないフォーマットで作成されているので、複合機１において印刷および表示を行うことができない。
【００６４】
次に、図４〜図６を参照して、スロット部７２に接続されたメモリカード４２の画像データファイル４２ａに記憶される画像データを、液晶ディスプレイ４１にパネル表示する場合について説明する。図４は、複合機１のＣＰＵ２１により実行されるパネル表示処理を示したフローチャートである。図５は、パネル表示処理内で実行されるパネル用画像表示処理を示したフローチャートである。図６は、液晶ディスプレイ４１に表示されるパネル表示の一例を示した図である。
【００６５】
なお、パネル表示処理は、ユーザ（操作者）により操作キー４０が操作されて、複数の機能のうち、「パネル表示」の機能が選択された場合に実行される。また、パネル表示は、液晶ディスプレイ４１にファイル名と画像データとを表示するものであり、ユーザにより指定された１のファイル毎に表示がなされる。なお、液晶ディスプレイ４１に表示されるファイル名や画像データの変更は、操作キー４０のカーソルキー４０ａ，４０ｂ（図１参照）が操作される毎に行われる。また、本実施形態では、指定されていないファイルは、液晶ディスプレイ４１に全く表示されないものとするが、文字だけの表示、ごく小さな表示などで、ファイルが存在していることを示す表示を行っても良い。
【００６６】
図４に示すパネル表示処理が実行されると、まず、制限情報記憶エリア２３ａに記憶される制限情報を、メモリカード４２に記憶される画像データファイル４２ａに基づいて作成し、その作成した制限情報を制限情報記憶エリア２３ａに記憶する（Ｓ１０１）。なお、Ｓ１０１の処理で制限情報記憶エリア２３ａに記憶される制限情報は、図３に示した制限情報である。
【００６７】
ファイル情報の作成は、画像データファイル４２ａから画像データ以外の情報を読み出して作成される。画像データ以外の情報とは、前述したように、フォーマットやセキュリティの有無、セキュリティの内容である。なお、画像データファイル４２ａには、各ファイル毎に、画像データの書式や形式などの情報が記憶されており、その画像データの書式や形式が複合機１で対応するものであるか否かに応じて、ファーマットの「対応」及び「未対応」が設定される。
【００６８】
Ｓ１０１の処理で、制限情報が作成されると、指定ファイルカウンタ２３ｂの値に初期値として１を設定し（Ｓ１０２）、指定ファイルカウンタ２３ｂの値に応じたファイル名を表示する（Ｓ１０３）。本実施形態では、指定ファイルカウンタ２３ｂの値とファイル名とが対応しており、指定ファイルカウンタ２３ｂの値が１であれば、ファイル１が表示される。なお、Ｓ１０３の処理が実行されると、図６（ａ）に示すように、液晶ディスプレイ４１の左側領域４１ａに「ファイル１」が表示される。
【００６９】
Ｓ１０３の処理で、ファイル名が液晶ディスプレイ４１の左側領域４１ａに表示されると、次に、画像データに対応した画像をパネル表示するために、パネル用画像表示処理を実行し（Ｓ１０４）、Ｓ１０５の処理へ移行する。このパネル用画像表示処理は、各ファイルの画像データの内容を示唆する縮小画像を液晶ディスプレイ４１の右側領域４１ｂに表示する処理である。なお、パネル用画像表示処理については、図５を参照して後述する。
【００７０】
Ｓ１０５の処理では、パネル表示の終了が選択されたか否かが判断され（Ｓ１０５）、ユーザによって操作キー４０が操作されて、パネル表示の終了が選択された場合には（Ｓ１０５：Ｙｅｓ）、そのまま、本処理を終了する。
【００７１】
一方、Ｓ１０５の処理で、ユーザによってパネル表示の終了が選択されていなければ（Ｓ１０５：Ｎｏ）、パネル表示処理を継続するために、下カーソルキー４０ｂが操作されたか否かを判断し（Ｓ１０６）、次に、上カーソルキー４０ａが操作されたか否かを判断する（Ｓ１０７）。
【００７２】
ユーザによって、下カーソルキー４０ｂが操作された場合には（Ｓ１０６：Ｙｅｓ）、液晶ディスプレイ４１に表示されているファイルを次のファイルにするために、指定ファイルカウンタ２３ｂの値に１を加算し（Ｓ１０８）、Ｓ１０３の処理へ移行する。
【００７３】
一方、ユーザによって上カーソルキー４０ａが操作された場合には（Ｓ１０６：Ｎｏ、Ｓ１０７：Ｙｅｓ）、液晶ディスプレイ４１に表示されているファイルを前のファイルにするために、指定ファイルカウンタ２３ｂの値を１減算し（Ｓ１０９）、Ｓ１０３の処理へ移行する。
【００７４】
なお、指定ファイルカウンタ２３ｂの加算は、最大値（本実施形態では５）以上加算されないように構成され、指定ファイルカウンタ２３ｂの減算は、最小値（本実施形態では１）以下減算されないように構成されている。また、指定ファイルカウンタ２３ｂが最大値の状態で加算された場合には、指定ファイルカウンタ２３ｂの値を最小値に設定すると共に、指定ファイルカウンタ２３ｂが最小値の状態で減算された場合には、指定ファイルカウンタ２３ｂの値を最大値に設定するよう構成しても良い。
【００７５】
また、上または下カーソルキー４０ａ，４０ｂの両方とも操作されていない場合には（Ｓ１０６：Ｎｏ、Ｓ１０７：Ｎｏ）、指定ファイルカウンタ２３ｂの加算または減算を行うことなく、Ｓ１０５の処理へ移行する。
【００７６】
よって、ユーザによって、上または下カーソルキー４０ａ，４０ｂが操作されない場合には、液晶ディスプレイ４１に表示されるファイルの変更はされずに、表示が継続される。一方、ユーザによって、上または下カーソルキー４０ａ，４０ｂが操作されると、液晶ディスプレイ４１に表示されるファイルが変更される。
【００７７】
次に、図５を参照して、Ｓ１０４の処理で実行されるパネル用画像表示処理について説明する。パネル表示処理内で、パネル用画像表示処理が実行されると、指定ファイルカウンタ２３ｂの値に応じた画像データを、メモリカード４２の画像データファイル４２ａから取得する（Ｓ２０１）。例えば、Ｓ２０１の処理では、指定ファイルカウンタ２３ｂの値が１であれば、ファイル１に対応した画像データを取得する。
【００７８】
そして、Ｓ２０１の処理で取得した画像データのフォーマットが複合機１で対応するものであるか否かを、Ｓ１０１の処理（図４参照）で作成して制限情報記憶エリア２３ａに記憶されている制限情報のフォーマット領域２３ａ１を参照して判断する（Ｓ２０２）。
【００７９】
Ｓ２０２の処理で、取得した画像データのフォーマットが複合機１で対応するものであると判断されると（Ｓ２０２：Ｙｅｓ）、次に、取得した画像データがセキュリティを有しているか否かを、Ｓ１０１の処理（図４参照）で作成して制限情報記憶エリア２３ａに記憶されている制限情報のセキュリティ領域２３ａ２を参照して判断する（Ｓ２０３）。
【００８０】
Ｓ２０３の処理で、取得した画像データがセキュリティを有していると判断されると（Ｓ２０３：Ｙｅｓ）、次に、取得した画像データがセキュリティ解除せずに印刷可能であるか否かを、Ｓ１０１の処理（図４参照）で作成して制限情報記憶エリア２３ａに記憶されている制限情報の印刷可能領域２３ａ４を参照して判断する（Ｓ２０４）。
【００８１】
Ｓ２０４の処理で、取得した画像データがセキュリティ解除しないと印刷できないと判断されると（Ｓ２０４：Ｎｏ）、取得した画像データがセキュリティ解除せずに閲覧可能であるか否かを、Ｓ１０１の処理（図４参照）で作成して制限情報記憶エリア２３ａに記憶されている制限情報の閲覧可能領域２３ａ３を参照して判断する（Ｓ２０５）。
【００８２】
ここで、Ｓ２０２〜Ｓ２０５の処理について説明する。最初に、Ｓ２０２の処理について説明する。本実施形態では、図３に示すように、ファイル１〜４の画像データのフォーマットが複合機１で認識可能（「対応」）であり（Ｓ２０２：Ｙｅｓ）、ファイル５の画像データのみが複合機１で認識不可（「未対応」）である（Ｓ２０２：Ｎｏ）。
【００８３】
よって、指定ファイルカウンタ２３ｂの値が５であり、ファイル５の画像データを取得している場合には、画像データのフォーマットが複合機１に対応するものでないと判断され（Ｓ２０２：Ｎｏ）、複合機１で印刷および表示もできないので、印刷不可を示す代替画像を作成し（Ｓ２０６）、その作成した代替画像の表示処理を実行して（Ｓ２１１）、本処理を終了する。
【００８４】
Ｓ２０６の処理で、作成される代替画像は、図６（ｅ）に示すように、液晶ディスプレイ４１の右側領域４１ｂに表示されている「印刷不可」が印された画像である。また、液晶ディスプレイ４１の左側領域４１ａに「ファイル５」が表示されている。
【００８５】
次に、Ｓ２０３の処理について説明する。本実施形態では、図３に示すように、画像データのフォーマットが対応するものであると判断されたファイル１〜４のうち、ファイル１〜３がセキュリティを有しており（Ｓ２０３：Ｙｅｓ）、ファイル４がセキュリティを有していない（Ｓ２０３：Ｎｏ）。
【００８６】
よって、指定ファイルカウンタ２３ｂの値が４であり、ファイル４の画像データを取得している場合には、画像データがセキュリティを有していないと判断され（Ｓ２０２：Ｙｅｓ、Ｓ２０３：Ｎｏ）、ファイル４の画像データをそのまま表示可能となるので、画像データに基づいた縮小画像を作成して（Ｓ２０７）、その作成した縮小画像の表示処理を実行して（Ｓ２１１）、本処理を終了する。
【００８７】
Ｓ２０７の処理で、作成される縮小画像は、図６（ｄ）に示すように、液晶ディスプレイ４１の右側領域４１ｂに表示される「太陽」の画像である。また、液晶ディスプレイ４１の左側領域４１ａに「ファイル４」が表示されている。なお、「太陽」の画像は、ファイル４の画像データをそのまま縮小したものである。
【００８８】
次に、Ｓ２０４の処理について説明する。本実施形態では、図３に示すように、画像データのフォーマットが複合機１で対応するものであり、セキュリティを有していると判断されたファイル１〜３のうち、ファイル１がセキュリティを解除しなくても印刷可能であり（Ｓ２０４：Ｙｅｓ）、ファイル２又３がセキュリティを解除しないと印刷できない（Ｓ２０４：Ｎｏ）。
【００８９】
よって、指定ファイルカウンタ２３ｂの値が１であり、ファイル１の画像データを取得している場合には、その画像データがセキュリティ解除せずに印刷可能であると判断され（S２０２：Ｙｅｓ、Ｓ２０３：Ｙｅｓ、Ｓ２０４：Ｙｅｓ）、ファイル１の画像データはそのまま表示可能となるので、画像データに基づいた縮小画像を作成して（Ｓ２０７）、その作成した縮小画像の表示処理を実行して（Ｓ２１１）、本処理を終了する。
【００９０】
Ｓ２０４の処理がＹｅｓとなった場合のＳ２０７の処理で作成される縮小画像は、図６（ａ）に示すように、液晶ディスプレイ４１の右側領域４１ｂに表示される「笑顔」の画像である。また、液晶ディスプレイ４１の左側領域４１ａに「ファイル１」が表示されている。なお、「笑顔」の画像も、ファイル１の画像データをそのまま縮小したものである。
【００９１】
次に、Ｓ２０５の処理について説明する。本実施形態では、図３に示すように、画像データのフォーマットが対応するものであり、画像データがセキュリティを有しており、画像データがセキュリティ解除しないと印刷できないと判断されたファイル２又は３のうち、ファイル２がセキュリティを解除せずに閲覧可能であり（Ｓ２０５：Ｙｅｓ）、ファイル３がセキュリティを解除しないと閲覧できない（Ｓ２０５：Ｎｏ）。
【００９２】
よって、指定ファイルカウンタ２３ｂの値が２であり、ファイル２の画像データが取得されている場合には、セキュリティを解除せずに閲覧可能であると判断され（S２０２：Ｙｅｓ、Ｓ２０３：Ｙｅｓ、Ｓ２０４：Ｎｏ、Ｓ２０５：Ｙｅｓ）、ファイル１の画像データはそのまま表示可能となるので、画像データに基づいた縮小画像を作成する（Ｓ２０８）。そして、ファイル２は、セキュリティを解除しないと印刷できないので、セキュリティの解除が必要であることを示す情報（「解除必要」の画像）を、Ｓ２０８の処理で作成した縮小画像に合成して（Ｓ２０９）、そのＳ２０９の処理で作成した縮小画像の表示処理を実行して（Ｓ２１１）、本処理を終了する。
【００９３】
Ｓ２０８の処理で作成される縮小画像は、図６（ｂ）に示すように、液晶ディスプレイ４１の右側領域４１ｂに表示される「ハート」の画像である。また、「ハート」の画像に重ねられて「解除必要」が表示されている。また、液晶ディスプレイ４１の左側領域４１ａに「ファイル２」が表示されている。
【００９４】
一方、指定ファイルカウンタ２３ｂの値が３であり、ファイル３の画像データが取得されている場合には、セキュリティを解除しないと閲覧できないと判断され（S２０２：Ｙｅｓ、Ｓ２０３：Ｙｅｓ、Ｓ２０４：Ｎｏ、Ｓ２０５：Ｎｏ）、セキュリティを解除しないと印刷も閲覧もできないので、セキュリティの解除が必要であることを示す情報（「解除必要」の画像）を作成して（Ｓ２１０）、そのＳ２１０の処理で作成した画像の表示処理を実行して（Ｓ２１１）、本処理を終了する。
【００９５】
Ｓ２１０の処理で作成される縮小画像は、図６（ｃ）に示すように、液晶ディスプレイ４１の右側領域４１ｂに表示される「解除必要」が印された画像である。また、液晶ディスプレイ４１の左側領域４１ａに「ファイル３」が表示されている。
【００９６】
以上説明したように、ユーザによりパネル表示の機能が選択されると、メモリカード４２に記憶される画像データファイル４２ａの縮小画像や、その画像データに応じた代替画像が表示されるので、画像データファイル４２ａが印刷可能であるか否かを、ユーザに認識させることができる。ユーザは、印刷不可であるファイルの印刷は実行しないし、解除が必要なファイルはセキュリティを解除してから印刷を実行するし、印刷可能なファイルは縮小画像を確認して印刷を実行するので、複合機１の使い勝手を向上することができる。
【００９７】
特に、ファイル２は、セキュリティ解除せずに閲覧可能であるが、セキュリティ解除しないと印刷できないので、このファイル２に対して「解除必要」の表示がなされていないと、ユーザは印刷可能であると誤認してしまう。その結果、印刷可能であると誤認したファイルを印刷しようとしても印刷できないので、使い勝手が悪くなってしまう。しかし、セキュリティ解除せずに閲覧可能であるが、セキュリティ解除しないと印刷できない旨の表示を行うので、ユーザに対してファイルの内容を正確に認識させることができる。
【００９８】
また、セキュリティ解除しないと閲覧できない場合には、「解除必要」の代替画像を表示するので、部外者に画像データの情報が知られることを防止することができる。
【００９９】
次に、図７〜図９を参照して、複合機１のＣＰＵ２１により実行されるインデックス印刷処理について説明する。図７は、複合機１のＣＰＵ２１により実行されるインデックス印刷処理を示したフローチャートである。図８は、インデックス印刷処理内で実行されるインデックス印刷用画像の作成処理を示したフローチャートである。図９は、記録媒体（例えば、紙）に印刷されるインデックス印刷の一例を示した図である。なお、図９に示す「ファイル一覧」の印字は、インデックス印刷時に常に印字される文字情報である。
【０１００】
なお、インデックス印刷処理は、ユーザ（操作者）により操作キー４０が操作されて、複数の機能のうち、「インデックス印刷」の機能が選択された場合に実行される。また、インデックス印刷は、メモリカード４２に記憶される画像データファイル４２ａのファイル名と画像データとを印刷するものである。
【０１０１】
図７に示すインデックス印刷処理が実行されると、まず、制限情報記憶エリア２３ａに記憶される制限情報を、メモリカード４２に記憶される画像データファイル４２ａに基づいて作成し、その作成した制限情報を制限情報記憶エリア２３ａに記憶する（Ｓ３０１）。なお、Ｓ３０１の処理で制限情報記憶エリア２３ａに記憶される制限情報は、図３に示した制限情報である。また、制限情報の作成は、Ｓ１０１の処理で作成される制限情報と同様であるので、その詳細な説明は省略する。
【０１０２】
Ｓ３０１の処理で、制限情報が作成されると、指定ファイルカウンタ２３ｂの値に初期値として１を設定し（Ｓ３０２）、メモリカード４２に記憶される画像データファイル４２ａのうち、後述するＳ３０４の処理でインデックス印刷用画像が作成されていないファイルがあるか否かを判断する（Ｓ３０３）。
【０１０３】
Ｓ３０３の処理では、指定ファイルカウンタ２３ｂが、その最大値より小さな値であるか否かにより、インデックス印刷用画像が作成されていないファイルがあるか否かを判断している。本実施形態では、ファイル１〜５の５つのファイルがあり、後述するＳ３０５の処理で、インデックス印刷用画像が作成される毎に指定ファイルカウンタ２３ｂの値が１加算されるので、指定ファイルカウンタ２３ｂに記憶される値が５より小さい値であるか否かを判断している。
【０１０４】
Ｓ３０３の処理で、メモリカード４２に記憶される画像データファイル４２ａのうち、インデックス印刷用画像を作成していないファイルがある場合には（Ｓ３０３：Ｙｅｓ）、次のファイルのインデックス印刷用画像を作成するために、インデックス印刷用画像の作成処理を実行する（Ｓ３０４）。なお、インデックス印刷用画像の作成処理については、図８を参照して後述する。
【０１０５】
Ｓ３０４の処理で、インデックス印刷用画像が作成されると、１のファイルのインデックス印刷用画像を作成したことになるので、指定ファイルカウンタ２３ｂの値に１を加算する（Ｓ３０５）。
【０１０６】
Ｓ３０５の処理で、指定ファイルカウンタ２３ｂの値に１が加算されると、記録媒体に印刷する分のインデックス印刷用画像が作成されたか、即ち、１ページ分のインデックス印刷用画像が作成完了したか否かを判断する（Ｓ３０６）。
【０１０７】
Ｓ３０６の処理で、１ページ分のインデックス印刷用画像が作成されていない判断されると（Ｓ３０６：Ｎｏ）、次のファイルのインデックス印刷用画像を作成するために、Ｓ３０３の処理へ戻る。
【０１０８】
一方、Ｓ３０６の処理で、１ページ分のインデックス印刷用画像が作成されていると判断されると（Ｓ３０６：Ｙｅｓ）、その１ページ分のインデックス印刷用画像の印刷処理を実行して（Ｓ３０７）、Ｓ３０３の処理へ戻る。
【０１０９】
なお、本実施の形態では、インデックス印刷は、１枚の記録媒体毎に印刷を実行するように構成されている。よって、Ｓ３０６の処理で、１ページ分のインデックス印刷用画像が作成されたか否かを判断している。また、１枚の記録媒体には、２５個のファイルが印刷可能に構成されている。
【０１１０】
Ｓ３０３の処理へ戻って説明する。Ｓ３０３の処理で、全てのファイルのインデックス印刷用画像が作成されたと判断されたら（Ｓ３０３：Ｎｏ）、印刷していないインデックス印刷用画像があるか否かが判断される（Ｓ３０８）。
【０１１１】
Ｓ３０８の処理で、印刷していないインデックス印刷用画像があると判断されると（Ｓ３０８：Ｙｅｓ）、その印刷していないインデックス印刷用画像の印刷処理を実行して（Ｓ３０９）、本処理を終了する。一方、Ｓ３０８の処理で、印刷していないインデックス印刷用画像がなければ（Ｓ３０８：Ｎｏ）、即ち、メモリカード４２に記憶されるファイル数が２５の倍数である場合には、印刷していないインデックス印刷用画像がないので、そのまま本処理を終了する。
【０１１２】
なお、前述したように、本実施の形態では、メモリカード４２に記憶されているファイルは５個であり、１枚の記録媒体に２５個のインデックス印刷用画像を印刷できるので、Ｓ３０８の処理は、必ずＹｅｓとなり、Ｓ３０９で印刷処理が実行される。Ｓ３０９の印刷処理で印刷されるファイル一覧の印刷については、図９を参照して後述する。
【０１１３】
次に、図８を参照して、Ｓ３０４の処理で実行されるインデックス印刷用画像の作成処理について説明する。インデックス印刷処理内で、インデックス印刷用画像の作成処理が実行されると、指定ファイルカウンタ２３ｂの値に応じた画像データを、メモリカード４２の画像データファイル４２ａから取得する（Ｓ４０１）。
【０１１４】
そして、Ｓ４０１の処理で取得した画像データのフォーマットが複合機１で対応するものであるか否かを、Ｓ１０１の処理（図４参照）で作成して制限情報記憶エリア２３ａに記憶されている制限情報のフォーマット領域２３ａ１を参照して判断する（Ｓ４０２）。
【０１１５】
Ｓ４０２の処理で、取得した画像データのフォーマットが複合機１で対応するものであると判断されると（Ｓ４０２：Ｙｅｓ）、次に、取得した画像データがセキュリティを有しているか否かを、Ｓ１０１の処理（図４参照）で作成して制限情報記憶エリア２３ａに記憶されている制限情報のセキュリティ領域２３ａ２を参照して判断する（Ｓ４０３）。
【０１１６】
Ｓ４０３の処理で、取得した画像データがセキュリティを有していると判断されると（Ｓ４０３：Ｙｅｓ）、次に、取得した画像データがセキュリティ解除せずに印刷可能であるか否かを、Ｓ１０１の処理（図４参照）で作成して制限情報記憶エリア２３ａに記憶されている制限情報の印刷可能領域２３ａ４を参照して判断する（Ｓ４０４）。
【０１１７】
Ｓ４０４の処理で、取得した画像データがセキュリティ解除しないと印刷できないと判断されると（Ｓ４０４：Ｎｏ）、取得した画像データがセキュリティ解除せずに閲覧可能であるか否かを、Ｓ１０１の処理（図４参照）で作成して制限情報記憶エリア２３ａに記憶されている制限情報の閲覧可能領域２３ａ３を参照して判断する（Ｓ４０５）。
【０１１８】
ここで、Ｓ４０２〜Ｓ４０５の処理について説明する。最初に、Ｓ４０２の処理について説明する。本実施形態では、図３に示すように、ファイル１〜４の画像データのフォーマットが複合機１で認識可能（「対応」）であり（Ｓ４０２：Ｙｅｓ）、ファイル５の画像データのみが複合機１で認識不可（「未対応」）である（Ｓ４０２：Ｎｏ）。
【０１１９】
よって、指定ファイルカウンタ２３ｂの値が５であり、ファイル５の画像データを取得している場合には、画像データのフォーマットが複合機１に対応するものでないと判断され（Ｓ４０２：Ｎｏ）、複合機１で印刷および表示もできないので、印刷不可を示す代替画像を作成し（Ｓ４０６）、Ｓ４１０の処理へ移行する。
【０１２０】
Ｓ４０６の処理で、作成される代替画像は、図９に示すファイル５であり、そのファイル５の印字の下方に「印刷不可」が印された代替画像が印刷されている。
【０１２１】
次に、Ｓ４０３の処理について説明する。本実施形態では、図３に示すように、画像データのフォーマットが対応するものであると判断されたファイル１〜４のうち、ファイル１〜３がセキュリティを有しており（Ｓ４０３：Ｙｅｓ）、ファイル４がセキュリティを有していない（Ｓ４０３：Ｎｏ）。
【０１２２】
よって、指定ファイルカウンタ２３ｂの値が４であり、ファイル４の画像データを取得している場合には、画像データがセキュリティを有していないと判断され（Ｓ４０２：Ｙｅｓ、Ｓ４０３：Ｎｏ）、ファイル４の画像データをそのまま印刷可能となるので、画像データに基づいた縮小画像を作成して（Ｓ４０７）、Ｓ４１０の処理へ移行する。
【０１２３】
Ｓ４０７の処理で、作成される縮小画像は、図９に示すファイル４であり、そのファイル４の印字の下方に、「太陽」の代替画像が印刷されている。なお、「太陽」の画像は、ファイル４の画像データをそのまま縮小したものである。
【０１２４】
次に、Ｓ４０４の処理について説明する。本実施形態では、図３に示すように、画像データのフォーマットが複合機１で対応するものであり、セキュリティを有していると判断されたファイル１〜３のうち、ファイル１がセキュリティを解除しなくても印刷可能であり（Ｓ４０４：Ｙｅｓ）、ファイル２又３がセキュリティを解除しないと印刷できない（Ｓ４０４：Ｎｏ）。
【０１２５】
よって、指定ファイルカウンタ２３ｂの値が１であり、ファイル１の画像データを取得している場合には、その画像データがセキュリティ解除せずに印刷可能であると判断され（S４０２：Ｙｅｓ、Ｓ４０３：Ｙｅｓ、Ｓ４０４：Ｙｅｓ）、ファイル１の画像データはそのまま印刷可能となるので、画像データに基づいた縮小画像を作成して（Ｓ４０７）、Ｓ４１０の処理へ移行する。
【０１２６】
Ｓ４０４の処理がＹｅｓとなった場合のＳ４０７の処理で作成される縮小画像は、図９に示すファイル１であり、そのファイル１の印字の下方に、「笑顔」の画像が表示されている。なお、「笑顔」の画像は、ファイル１の画像データを縮小したものである。
【０１２７】
次に、Ｓ４０５の処理について説明する。本実施形態では、図３に示すように、画像データのフォーマットが対応するものであり、画像データがセキュリティを有しており、画像データがセキュリティ解除しないと印刷できないと判断されたファイル２又は３のうち、ファイル２がセキュリティを解除せずに閲覧可能であり（Ｓ４０５：Ｙｅｓ）、ファイル３がセキュリティを解除しないと閲覧できない（Ｓ４０５：Ｎｏ）。
【０１２８】
よって、指定ファイルカウンタ２３ｂの値が２であり、ファイル２の画像データが取得されている場合には、セキュリティを解除せずに閲覧可能であると判断され（Ｓ４０２：Ｙｅｓ、Ｓ４０３：Ｙｅｓ、Ｓ４０４：Ｎｏ、Ｓ４０５：Ｙｅｓ）、ファイル２の画像データをセキュリティ解除せずに閲覧可能だが印刷不可となるので、印刷するためにはセキュリティの解除が必要であることと、画像データの内容は、パネル（液晶ディスプレイ４１）で確認可能であることを示す代替画像を作成して（Ｓ４０８）、Ｓ４１０の処理へ移行する。
【０１２９】
Ｓ４０８の処理で作成される縮小画像は、図９に示すファイル２であり、そのファイル２の印字の下方に、「解除必要  内容はパネルで確認可能」が印された代替画像が印刷されている。
【０１３０】
一方、指定ファイルカウンタ２３ｂの値が３であり、ファイル３の画像データが取得されている場合には、セキュリティを解除しないと閲覧できないと判断され（S４０２：Ｙｅｓ、Ｓ４０３：Ｙｅｓ、Ｓ４０４：Ｎｏ、Ｓ４０５：Ｎｏ）、セキュリティを解除しないと印刷も閲覧もできないので、セキュリティの解除が必要であることを示す情報を作成して（Ｓ４０９）、Ｓ４１０の処理へ移行する。
【０１３１】
Ｓ４０９の処理で作成される縮小画像は、図９に示すファイル３であり、そのファイル５の印字の下方に「解除必要」が印された代替画像が印刷されている。
【０１３２】
Ｓ４１０の処理では、Ｓ４０６〜Ｓ４０９の処理で作成された画像を、作成画像記憶エリア２３ｃに記憶し（Ｓ４１０）、本処理を終了する。なお、前述した、１ページ分のインデックス印刷用画像の印刷処理（Ｓ３０７）と、印刷していないインデックス印刷用画像の印刷処理（Ｓ３０９）とは、Ｓ４１０の処理で作成画像記憶エリア２３ｃに記憶される画像に基づいて実行される。
【０１３３】
以上説明したように、ユーザによりインデックス印刷の機能が選択されると、メモリカード４２に記憶される画像データファイル４２ａの縮小画像や、その画像データに応じた代替画像が表示されるので、画像データファイル４２ａが印刷可能であるか否かを、ユーザに認識させることができる。ユーザは、印刷不可であるファイルの印刷は実行しないし、解除が必要なファイルはセキュリティを解除してから印刷を実行するし、印刷可能なファイルは縮小画像を確認して印刷を実行するので、複合機１の使い勝手を向上することができる。
【０１３４】
また、ファイル２は、セキュリティ解除せずに閲覧可能であって、その内容をパネル表示で確認できることを、ユーザに認識させることができるので、まず、画像データの内容を確認し、印刷したい場合には、セキュリティを解除して印刷をする手順で、不要な操作を行わずに印刷することができる。
【０１３５】
また、セキュリティ解除しないと印刷できない場合には、「解除必要」の代替画像を表示するので、部外者に画像データの情報が知られることを防止することができる。
【０１３６】
次に、図１０を参照して、メモリカード４２に記憶されている画像データファイル４２ａに基づく画像データを印刷する印刷処理について説明する。図１０は、複合機１のＣＰＵ２１により実行される印刷処理を示したフローチャートである。なお、印刷処理は、ユーザ（操作者）により操作キー４０が操作されて、複数の機能のうち、「印刷」の機能が選択され、その「印刷」の機能が選択されている状態で、「印刷不可」以外のファイル（ファイル１〜４）が選択された場合に実行される。なお、本実施形態では、「印刷不可」となるファイルは、選択できないように構成されている。
【０１３７】
図１０に示す印刷処理が実行されると、メモリカード４２からユーザによって選択された画像データファイル４２ａを取得する（Ｓ５０１）。そして、その取得された画像データファイルの画像データが、セキュリティを有しているか否かを判断する（Ｓ５０２）。なお、前述したように、本実施形態では、ファイル１〜３が選択された場合には、セキュリティ有りと判断され（Ｓ５０２：Ｙｅｓ）、ファイル４が選択された場合には、セキュリティ無しと判断される（Ｓ５０２：Ｎｏ）。
【０１３８】
よって、Ｓ５０１の処理で取得した画像データファイルがファイル４であれば、セキュリティを有しておらず、そのまま印刷可能となるので、印刷画像を作成して（Ｓ５０８）、印刷処理を実行し（Ｓ５０９）、本処理を終了する。
【０１３９】
一方、Ｓ５０１の処理で取得した画像データファイルがファイル１〜３であれば、取得した画像データがセキュリティ解除せずに印刷可能であるか否かを判断する（Ｓ５０３）。本実施形態では、ファイル１が選択された場合には、セキュリティ解除せずに印刷可能となり（Ｓ５０３：Ｙｅｓ）、ファイル２，３が選択された場合には、セキュリティを解除しないと印刷できない（Ｓ５０３：Ｎｏ）。
【０１４０】
よって、Ｓ５０１の処理で取得した画像データファイルがファイル１であれば、セキュリティ解除せずに印刷可能となるので（Ｓ５０３：Ｙｅｓ）、印刷画像を作成して（Ｓ５０８）、印刷処理を実行し（Ｓ５０９）、本処理を終了する。
【０１４１】
一方、Ｓ５０１の処理で取得した画像データファイルがファイル２，３であれば、セキュリティ解除しないと印刷できないので（Ｓ５０３：Ｎｏ）、そのセキュリティをユーザにより解除させるために、パスワードの入力画面を液晶ディスプレイ４１に表示する（Ｓ５０４）。
【０１４２】
パスワードの入力画面が表示されると、ユーザによりパスワードの入力が完了したか否かを判断し（Ｓ５０５）、ユーザによりパスワードが入力されるまで待機し（Ｓ５０５：Ｎｏ）、ユーザによりパスワードの入力が完了したら（Ｓ５０５：Ｙｅｓ）、Ｓ５０６の処理へ移行する。
【０１４３】
Ｓ５０６の処理では、ユーザにより入力されたパスワードと、ＲＯＭ２２に予め記憶されたパスワードとが一致するか（対応するものであるか）否かが判断され（Ｓ５０６）、パスワードが一致しなければ（Ｓ５０６：Ｎｏ）、パスワードを知らないユーザによる操作となるので、エラー処理を実行して（Ｓ５１０）、本処理を終了する。なお、エラー処理は、液晶ディスプレイ４１に「印刷不可」の表示をしたり、スピーカ７２から「印刷不可」であることを報知したり、液晶ディスプレイ４１とスピーカ７２とを併用して報知する。
【０１４４】
一方、Ｓ５０６の処理で、入力されたパスワードと、ＲＯＭ２２に予め記憶されたパスワードとが一致すれば（Ｓ５０６：Ｙｅｓ）、パスワードを知っているユーザによる操作となるので、選択されているファイルを復号化し（S５０７）、その複合化された画像データに基づいて印刷画像を作成して（Ｓ５０８）、印刷処理を実行し（Ｓ５０９）、本処理を終了する。
【０１４５】
以上説明したように、複合機１は、ダイレクト印刷を実行でき、セキュリティを有している場合には、ユーザに対してパスワードの入力を促し、パスワードが一致した場合にのみ印刷を実行しているので、不特定多数のユーザが自由に印刷を実行できることを防止することができる。よって、重要文書や重要画像などが記憶された画像データが流出することを抑制することができる。
【０１４６】
次に、図１１を参照して、第２の実施形態について説明する。第１の実施形態では、パネル表示で、セキュリティ解除せずに閲覧可能で且つセキュリティ解除しないと印刷できないファイル（ファイル２）は縮小画像と「解除必要」の画像とを合成したものを、液晶ディスプレイ４１に表示するものとした（図６（ｂ）参照）。これに代えて、第２の実施形態では、セキュリティ解除せずに閲覧可能で且つセキュリティ解除しないと印刷できないファイル（ファイル２）は、縮小画像を表示せずに代替画像を液晶ディスプレイ４１に表示するものとした。なお、第１の実施形態と同一部分については、同一の符号を付して、その説明を省略する。
【０１４７】
図１１は、第２の実施形態の液晶ディスプレイ４１に表示されるパネル表示の一例を示した図である。なお、図１１（ａ）、図１１（ｃ）〜図１１（ｅ）は、図６に示す第１の実施形態のパネル表示と同様であるので、その説明は省略し、図１１（ｂ）の表示について説明する。
【０１４８】
図１１（ｂ）に示すように、セキュリティ解除せずに閲覧可能で且つセキュリティ解除しないと印刷できないファイル２は、液晶ディスプレイ４１の左側領域４１ｂに「解除必要」を印した代替画像が表示されている。即ち、第２の実施形態では、図５に示すＳ２０８及びＳ２０９の処理に代えて、Ｓ２１０の処理と同様の処理が実行される。
【０１４９】
よって、第２の実施形態では、セキュリティ解除しなくても閲覧可能であるが、セキュリティ解除しないと印刷できない場合には、画像データの閲覧も禁止している。セキュリティ解除しないと印刷できないファイルは、不特定のユーザにファイル内容を知られたくない場合が考えられる。この場合に、パネル表示に縮小画像が表示されると、ファイル内容を不特定のユーザに知られてしまう。しかし、第２の実施形態では、セキュリティ解除しないと印刷できないファイルは、パネル表示に縮小画像を表示しないので、不特定のユーザにファイルの内容が知られることを防止することができる。
【０１５０】
なお、第１の実施形態と第２の実施形態とのパネル表示の切り換え機能を複合機１が有する構成とし、ユーザによって適宜変更可能に構成するものとしても良い。
【０１５１】
以上、各実施形態に基づき本発明を説明したが、本発明は上記形態に何ら限定されるものではなく、本発明の趣旨を逸脱しない範囲内で種々の変形改良が可能であることは容易に推察できるものである。
【０１５２】
例えば、上記実施形態では、メモリカード４２に記憶される全ての画像データファイル４２ａに対応した制限情報を作成するものとしたが、例えば、文書が記憶されるファイルのみ、画像が記憶されるファイルのみ、アプリケーション及びオペレーティングシステムの種類など、特定のファイルを選択する構成としても良い。さらに、複合機１とパラレルＩ／Ｆ又はネットワークＩ／Ｆを介して接続（通信）されるコンピュータが備えるメモリに記憶される画像データファイルを取得する構成としても良い。
【０１５３】
また、上記実施の形態では、インデックス印刷およびパネル表示において、セキュリティを解除せずに閲覧可能または印刷可能である画像データを縮小した画像を表示または印刷するものとしたが、画像データファイルの内容を示唆できるものであれば、如何なる画像であっても良い。例えば、図６（ｂ）に示すファイル２を、セキュリティ解除しないと印刷できないので、「解除必要」に代えて「印刷不可」の表示としても良いし、更に、図６（ｅ）に示すファイル５を、「印刷不可」に代えて「認識不可」の表示としても良い。同様に、図９に示すファイル２を、セキュリティ解除しないと印刷できないので、「解除必要  パネルで内容確認可能」に代えて「解除必要」だけの印刷としても良い。
【０１５４】
さらに、セキュリティが、セキュリティ解除せずに閲覧可能および印刷可能だけでなく、セキュリティ解除せずに複合化可能および複写（コピー）可能を有していれば、その旨を示す代替画像を表示するものとしても良い。
【０１５５】
また、上記実施の形態では、インデックス印刷の機能と、パネル表示の機能との両方を備えるものとしたが、どちらか一方を備える複合機としても良い。
【０１５６】
また、上記実施の形態では、複合機１にインデックス印刷の機能と、パネル表示の機能とを備えるものとしたが、印刷機能と表示機能とを有するプリンタに備えるものとしても良い。
【０１５７】
ここで、本実施形態において、請求項１，５，８，９のダイレクト印刷手段としては図１０の印刷処理が該当し、請求項１又は５の示唆出力手段としては図４のパネル表示処理および図７のインデックス印刷処理が該当し、請求項１の読出手段としては図４のＳ１０１の処理が該当し、請求項１の表示設定手段としては図４のＳ１０４の処理が該当し、請求項３，４，６，７の解除手段としては図１０のＳ５０６の処理でパスワードが一致した場合が該当し、請求項５の読出手段としては図７のＳ３０１の処理が該当し、請求項５の印刷設定手段としては図７のＳ３０４の処理が該当し、請求項８の読出工程としては図４のＳ１０１の処理が該当し、請求項８の表示設定工程としては図４のＳ１０４の処理が該当し、請求項９の読出工程としては図７のＳ３０１の処理が該当し、請求項９の印刷設定工程としては図７のＳ３０４の処理が該当する。
【図面の簡単な説明】
【０１５８】
【図１】本発明における実施形態の複合機の外観構成を示す斜視図である。
【図２】複合機の制御部の概略構成を示すブロック図である。
【図３】制限情報記憶エリアに記憶される制限情報の一例を模式的に示した図である。
【図４】複合機のＣＰＵにより実行されるパネル表示処理を示したフローチャートである。
【図５】パネル表示処理内で実行されるパネル用画像表示処理を示したフローチャートである。
【図６】液晶ディスプレイに表示されるパネル表示の一例を示した図である。
【図７】複合機のＣＰＵにより実行されるインデックス印刷処理を示したフローチャートである。
【図８】インデックス印刷処理内で実行されるインデックス印刷用画像の作成処理を示したフローチャートである。
【図９】記録媒体に印刷されるインデックス印刷の一例を示した図である。
【図１０】複合機のＣＰＵにより実行される印刷処理を示したフローチャートである。
【図１１】第２の実施形態の液晶ディスプレイに表示されるパネル表示の一例を示した図である。
【符号の説明】
【０１５９】
１          複合機（印刷装置）
７２        スロット部
【図１】
2008207455.tif 000003
【図２】
2008207455.tif 000004
【図３】
2008207455.tif 000005
【図４】
2008207455.tif 000006
【図５】
2008207455.tif 000007
【図６】
2008207455.tif 000008
【図７】
2008207455.tif 000009
【図８】
2008207455.tif 000010
【図９】
2008207455.tif 000011
【図１０】
2008207455.tif 000012
【図１１】
2008207455.tif 000013